(57)【要約】【課題】開口部装置の防火性能を向上させることにある。【解決手段】窓枠と、該窓枠内に取り付けられた可動障子と、を有する開口部装置であって、前記可動障子は、金属製室外側框材と断熱材製室内側框材が連結部で連結された框体を備える断熱障子であり、前記窓枠には、該窓枠の室内側から、前記窓枠の前記連結部と対向する対向位置を越えて見込み方向室外側に延びる加熱発泡材が設けられていることを特徴とする。【選択図】図４
2016180269.tif 000002
【特許請求の範囲】
【請求項１】
窓枠と、該窓枠内に取り付けられた可動障子と、を有する開口部装置であって、
前記可動障子は、金属製室外側框材と断熱材製室内側框材が連結部で連結された框体を備える断熱障子であり、
前記窓枠には、
該窓枠の室内側から、前記窓枠の前記連結部と対向する対向位置を越えて見込み方向室外側に延びる加熱発泡材が設けられていることを特徴とする開口部装置。
【請求項２】
請求項１に記載の開口部装置であって、
前記窓枠は、上枠、下枠、及び、左右の縦枠により形成されており、
前記上枠、下枠、及び、左右の縦枠のうち、前記可動障子が開いた際に前記框体と最も離れる窓枠には少なくとも前記加熱発泡材が取り付けられていることを特徴とする開口部装置。
【請求項３】
請求項１又は請求項２に記載の開口部装置であって、
前記窓枠は、金属製窓枠材で形成された不燃性窓枠であることを特徴とする開口部装置。
【請求項４】
請求項１又は請求項２に記載の開口部装置であって、
前記窓枠は、室外側の金属製窓枠材と室内側の断熱性窓枠材が連結された断熱枠であり、
前記加熱発泡材は、前記金属製窓枠材と前記断熱性窓枠材に跨がって設けられていることを特徴とする開口部装置。
【発明の詳細な説明】
【技術分野】
【０００１】
本発明は、開口部装置に関する。
【背景技術】
【０００２】
窓枠と窓枠内に取り付けられた可動障子とを有する横すべり出し窓等の開口部装置は、既によく知られている。このような開口部装置の中には、アルミニウム等の金属製室外側框材と合成樹脂等の断熱材製室内側框材が連結部で連結された框体を可動障子に備えるものがある。
【先行技術文献】
【特許文献】
【０００３】
【特許文献１】特許第３３２８８７９号公報
【発明の概要】
【発明が解決しようとする課題】
【０００４】
ところで、火災が発生した際に、火炎により前記断熱材製室内側框材が溶融する場合がある。かかる際には、溶融した箇所が隙間となり、当該隙間から火炎が伝播したり、加熱空気が流入してしまったりする虞があった。
【０００５】
本発明は、かかる課題に鑑みてなされたものであり、その目的とするところは、開口部装置の防火性能を向上させることにある。
【課題を解決するための手段】
【０００６】
かかる目的を達成するために本発明の開口部装置は、窓枠と、該窓枠内に取り付けられた可動障子と、を有する開口部装置であって、
前記可動障子は、金属製室外側框材と断熱材製室内側框材が連結部で連結された框体を備える断熱障子であり、
前記窓枠には、
該窓枠の室内側から、前記窓枠の前記連結部と対向する対向位置を越えて見込み方向室外側に延びる加熱発泡材が設けられていることを特徴とする開口部装置である。
【０００７】
このような開口部装置によれば、仮に断熱材製室内側框材が溶融してしまった場合であっても、加熱発泡材が発泡して金属製室外側框材に向かって膨張し、金属製室外側框材と窓枠との間を塞いでくれる。したがって、室内外間の火炎の伝播や加熱空気の流入を防止することが可能となる。そのため、開口部装置の防火性能を向上させることが可能となる。
【０００８】
かかる開口部装置であって、
前記窓枠は、上枠、下枠、及び、左右の縦枠により形成されており、
前記上枠、下枠、及び、左右の縦枠のうち、前記可動障子が開いた際に前記框体と最も離れる窓枠には少なくとも前記加熱発泡材が取り付けられていることが望ましい。
【０００９】
このような開口部装置によれば、火災の際に最も熱変形しやすく隙間が生じやすい部分に、窓枠の室内側から、前記窓枠の前記連結部と対向する対向位置を越えて見込み方向室外側に延びる加熱発泡材を取り付けてあるので、開口部装置の防火性能をより一層向上させることが可能となる。
【００１０】
かかる開口部装置であって、
前記窓枠は、金属製窓枠材で形成された不燃性窓枠であることが望ましい。
【００１１】
このような開口部装置によれば、窓枠が単一の材料からなるため、窓枠の構成が単純となり、加熱発泡材の貼付も容易に行える。
【００１２】
かかる開口部装置であって、
前記窓枠は、室外側の金属製窓枠材と室内側の断熱性窓枠材が連結された断熱枠であり、
前記加熱発泡材は、前記金属製窓枠材と前記断熱性窓枠材に跨がって設けられていることが望ましい。
【００１３】
このような開口部装置によれば、火災の際に、加熱発泡材が、金属製窓枠材と金属製室外側框材との隙間を埋めるだけでなく、断熱性窓枠材を覆うことにより断熱性窓枠材の溶融を抑制することもできる。
【発明の効果】
【００１４】
本発明によれば、開口部装置の防火性能を向上させることが可能となる。
【図面の簡単な説明】
【００１５】
【図１】横すべり出し窓１の正面模式図である。
【図２】横すべり出し窓１の縦断面図である。
【図３】横すべり出し窓１の横断面図である。
【図４】図２の下枠１２及び下框３４周辺を拡大した拡大図である。
【図５】図３の縦枠１３及び縦框３６周辺を拡大した拡大図である（その１）。
【図６】図３の縦枠１３及び縦框３６周辺を拡大した拡大図である（その２）。
【図７】図２の上枠１１及び上框３２周辺を拡大した拡大図である。
【発明を実施するための形態】
【００１６】
＝＝＝本実施の形態に係る横すべり出し窓１について＝＝＝
本実施の形態に係る開口部装置の一例としての横すべり出し窓１について、図１乃至図３を用いて説明する。図１は、横すべり出し窓１の縦断面図である。図２は、横すべり出し窓１の縦断面図である。図３は、横すべり出し窓１の横断面図である。
【００１７】
なお、以下の説明においては、横すべり出し窓１が建物等に取り付けられた状態において、上下となる方向を上下方向、左右となる方向を左右方向、室内外方向である奥行き方向を見込み方向として示す。
【００１８】
本実施形態の横すべり出し窓１は、矩形状に枠組みされて開口を形成する窓枠１０と、窓枠１０内に取り付けられた可動障子の一例としての窓本体２０と、を備えている。窓本体２０は、窓枠１０に対し、縦方向（上下方向）に移動自在かつ回動自在（開閉自在）に支持されている。そして、オペレーターハンドル３を操作して、窓本体２０を移動かつ回動させることにより、開口を開いたり閉じたりできるようになっている。
【００１９】
窓枠１０は、上下の上枠１１及び下枠１２と左右の縦枠１３とが矩形状に枠組みされた四方枠となっている。この窓枠１０は、いずれの枠も、金属製（本実施の形態においては、アルミニウム製）窓枠材（押出成形部材）で形成された不燃性窓枠となっている。
【００２０】
窓本体２０は、框体２２と複層ガラス２１とを有している。
【００２１】
框体２２は、上下の上框３２及び下框３４と左右の縦框３６からなり、矩形状に框組みされている。そして、框体２２に囲まれた領域を塞ぐように複層ガラス２１が設けられている。
【００２２】
この框体２２は、いずれの框も、金属製（本実施の形態においては、アルミニウム製）の室外側に位置する框材（金属製室外側框材に相当。以下、外框部２３と呼ぶ）と、断熱材製（本実施の形態においては、合成樹脂製）の室内側に位置する框材（断熱材製室内側框材に相当。以下、内框部２５と呼ぶ）が連結部２７で連結されたものとなっている。なお、外框部２３及び内框部２５は、いずれも押出成型部材である。このように、可動障子である窓本体２０は、アルミ樹脂複合の框体２２を備える断熱障子となっている。
【００２３】
複層ガラス２１は、外側の網入りガラス２１ａと内側のガラス２１ｂとが見込み方向において間隔を隔てて対面し、網入りガラス２１ａとガラス２１ｂの上下方向と左右方向の内周端には、内部に乾燥剤が封入されたスペーサー２１ｃが設けられている。そして、スペーサー２１ｃは、不図示のシールにより、網入りガラス２１ａとガラス２１ｂの各々に接着されている。複層ガラス２１については、その端部が、外框部２３と内框部２５が延出することにより形成された後述するガラス収容溝２８に収容されている。
【００２４】
＝＝＝加熱発泡材７０の配置について＝＝＝
本実施の形態に係る横すべり出し窓１においては、複数箇所に加熱発泡材７０が備えられている。この加熱発泡材７０は、若干の厚みを有するシート状の部材であり、火災の際に火炎に晒されると膨張して、その体積が大きくなる。そして、このことにより、隙間を埋め、火炎や加熱空気の通り道を塞ぐ機能を有する。以下では、加熱発泡材７０の配置について説明する。
【００２５】
＜＜＜下枠１２及び下框３４周辺の加熱発泡材７０について＞＞＞
先ず、下枠１２及び下框３４周辺の加熱発泡材７０について、図４を用いて説明する。図４は、図２の下枠１２及び下框３４周辺を拡大した拡大図である。なお、図４においては、図を見やすくするために、図２の一部の部材を省略している。
【００２６】
図４に示すように、下枠１２には一つの加熱発泡材７０（便宜上、下枠発泡材７２と呼ぶ）が取り付けられている。この下枠発泡材７２は、下枠１２のうちの下框３４と上下方向において対向する対向面１２ａに取り付けられている（貼付されている）。
【００２７】
ここで、前述したとおり、下框３４は、金属製室外側框材である外框部２３と断熱材製室内側框材である内框部２５が連結部２７で連結されたものとなっているが、下枠発泡材７２は、外框部２３と内框部２５の双方と上下方向において対向している。より具体的には、外框部２３の下枠１２と上下方向において対向する対向部分２３ａと、内框部２５の下枠１２と上下方向において対向する対向部分２５ａと、が両方とも下枠発泡材７２と上下方向において対向している。
【００２８】
換言すれば、下枠発泡材７２は、下枠１２の室内側から、下枠１２の連結部２７と対向する対向位置（符号Ｐで表す）を越えて見込み方向室外側に延びている。換言すれば、下枠発泡材７２は、内框部２５だけでなく外框部２３にも対向するように、連結部２７を越えて見込み方向室外側へ延出する延出部７２ａを備えている。
【００２９】
また、図４に示すように、下框３４には、三つの加熱発泡材７０（便宜上、下框発泡材７３と呼ぶ）が取り付けられている。
【００３０】
下框３４の外框部２３は、長手方向に貫通する中空空間を形成する外框中空部２３ｂと、当該外框中空部２３ｂの室外側の端から上側へ延出した外框延出部２３ｃと、外框中空部２３ｂの室外側の端から下側へ突出した突出片２３ｄと、を備えている。
【００３１】
また、下框３４の内框部２５は、長手方向に貫通する中空空間を形成する第一内框中空部２５ｂと、当該第一内框中空部２５ｂの端から上側へ延出し、長手方向に貫通する中空空間を形成する第二内框中空部２５ｃと、第一内框中空部２５ｂと第二内框中空部２５ｃの境界部分から室外側へ突出した突出片２５ｄを備えている。
【００３２】
なお、前述した対向部分２３ａ及び対向部分２５ａは、それぞれ外框中空部２３ｂと第一内框中空部２５ｂに備えられている。
【００３３】
そして、外框中空部２３ｂ、外框延出部２３ｃ、第二内框中空部２５ｃ、突出片２５ｄにより、複層ガラス２１の端部が収容されるガラス収容溝２８が形成されている。つまり、ガラス収容溝２８は、図４の断面において、溝底部２８ａ、室外側溝側部２８ｂ、室内側溝側部２８ｃを有するコの字形状となっており、溝底部２８ａが、外框中空部２３ｂ及び突出片２５ｄにより、室外側溝側部２８ｂが外框延出部２３ｃにより、室内側溝側部２８ｃが第二内框中空部２５ｃにより、それぞれ形成されている。
【００３４】
また、当該ガラス収容溝２８には、ガラス収容溝２８のコの字形状に沿って、コの字形状でスチール薄板の補強材３０が収容されている。この補強材３０は、溝底部２８ａに沿った補強材底部３０ａと、室外側溝側部２８ｂに沿った室外側補強材側部３０ｂと、室内側溝側部２８ｃに沿った室内側補強材側部３０ｃと、を有している。
【００３５】
そして、下框発泡材７３は、突出片２３ｄの室内側の面と、補強材底部３０ａの室外側の端部と、室内側補強材側部３０ｃの下側の端部と、に取り付けられている（貼付されている）。
【００３６】
＜＜＜縦枠１３及び縦框３６周辺の加熱発泡材７０について＞＞＞
次に、縦枠１３及び縦框３６周辺の加熱発泡材７０について、図５及び図６を用いて説明する。図５及び図６は、図３の縦枠１３及び縦框３６周辺を拡大した拡大図である。なお、図５及び図６においては、図を見やすくするために、図３の一部の部材を省略している。また、図５は左側の縦枠１３及び縦框３６周辺を、図６は右側の縦枠１３及び縦框３６周辺を、それぞれ表している。
【００３７】
図５及び図６に示すように、各々の縦枠１３には一つの加熱発泡材７０（便宜上、縦枠発泡材７４と呼ぶ）が取り付けられている。この縦枠発泡材７４は、縦枠１３のうちの縦框３６と左右方向において対向する対向面１３ａに取り付けられている（貼付されている）。
【００３８】
ここで、前述したとおり、縦框３６は、金属製室外側框材である外框部２３と断熱材製室内側框材である内框部２５が連結部２７で連結されたものとなっているが、縦枠発泡材７４は、外框部２３と内框部２５の双方と左右方向において対向している。より具体的には、外框部２３の縦枠１３と左右方向において対向する対向部分２３ａと、内框部２５の縦枠１３と左右方向において対向する対向部分２５ａと、が両方とも縦枠発泡材７４と左右方向において対向している。
【００３９】
換言すれば、縦枠発泡材７４は、縦枠１３の室内側から、縦枠１３の連結部２７と対向する対向位置（符号Ｐで表す）を越えて見込み方向室外側に延びている。換言すれば、縦枠発泡材７４は、内框部２５だけでなく外框部２３にも対向するように、連結部２７を越えて見込み方向室外側へ延出する延出部７４ａを備えている。
【００４０】
また、図５及び図６に示すように、各々の縦框３６には、三つの加熱発泡材７０（便宜上、縦框発泡材７５と呼ぶ）が取り付けられている。
【００４１】
縦框３６の外框部２３は、長手方向に貫通する中空空間を形成する外框中空部２３ｂと、当該外框中空部２３ｂの室外側の端から内側へ延出した外框延出部２３ｃと、外框中空部２３ｂの室外側の端から外側へ突出した突出片２３ｄと、を備えている。
【００４２】
また、縦框３６の内框部２５は、長手方向に貫通する中空空間を形成する第一内框中空部２５ｂと、当該第一内框中空部２５ｂの端から内側へ延出し、長手方向に貫通する中空空間を形成する第二内框中空部２５ｃと、第一内框中空部２５ｂと第二内框中空部２５ｃの境界部分から室外側へ突出した突出片２５ｄを備えている。
【００４３】
なお、前述した対向部分２３ａ及び対向部分２５ａは、それぞれ外框中空部２３ｂと第一内框中空部２５ｂに備えられている。
【００４４】
そして、外框中空部２３ｂ、外框延出部２３ｃ、第二内框中空部２５ｃ、突出片２５ｄにより、複層ガラス２１の端部が収容されるガラス収容溝２８が形成されている。つまり、ガラス収容溝２８は、図５及び図６の断面において、溝底部２８ａ、室外側溝側部２８ｂ、室内側溝側部２８ｃを有するコの字形状となっており、溝底部２８ａが、外框中空部２３ｂ及び突出片２５ｄにより、室外側溝側部２８ｂが外框延出部２３ｃにより、室内側溝側部２８ｃが第二内框中空部２５ｃにより、それぞれ形成されている。
【００４５】
また、当該ガラス収容溝２８には、ガラス収容溝２８のコの字形状に沿って、コの字形状で上下框のスチール薄板よりやや厚めのスチール製の補強材３０が収容されている。この補強材３０は、溝底部２８ａに沿った補強材底部３０ａと、室外側溝側部２８ｂに沿った室外側補強材側部３０ｂと、室内側溝側部２８ｃに沿った室内側補強材側部３０ｃと、を有している。
【００４６】
そして、縦框発泡材７５は、突出片２３ｄの室内側の面と、補強材底部３０ａの室外側の端部と、室内側補強材側部３０ｃの外側（縦枠１３により近い側）の端部と、に取り付けられている（貼付されている）。
【００４７】
＜＜＜上枠１１及び上框３２周辺の加熱発泡材７０について＞＞＞
次に、上枠１１及び上框３２周辺の加熱発泡材７０について、図７を用いて説明する。図７は、図２の上枠１１及び上框３２周辺を拡大した拡大図である。なお、図７においては、図を見やすくするために、図２の一部の部材を省略している。
【００４８】
図７に示すように、上框３２には、三つの加熱発泡材７０（便宜上、上框発泡材７６と呼ぶ）が取り付けられている。なお、下枠１２や縦枠１３とは異なり、上枠１１には、加熱発泡材７０が設けられていない。それは火災の際に上框３２と上枠１１との間には熱変形により生じる隙間が小さいため、上框発泡材７６で十分隙間塞ぎ効果があるためである。
【００４９】
上框３２の外框部２３は、長手方向に貫通する中空空間を形成する外框中空部２３ｂと、当該外框中空部２３ｂの室外側の端から内側（下側）へ延出した外框延出部２３ｃと、外框中空部２３ｂの室外側の端から外側（上側）へ突出した突出片２３ｄと、を備えている。
【００５０】
また、上框３２の内框部２５は、長手方向に貫通する中空空間を形成する第一内框中空部２５ｂと、当該第一内框中空部２５ｂの端から内側（下側）へ延出し、長手方向に貫通する中空空間を形成する第二内框中空部２５ｃと、第一内框中空部２５ｂと第二内框中空部２５ｃの境界部分から室外側へ突出した突出片２５ｄを備えている。
【００５１】
そして、外框中空部２３ｂ、外框延出部２３ｃ、第二内框中空部２５ｃ、突出片２５ｄにより、複層ガラス２１の端部が収容されるガラス収容溝２８が形成されている。つまり、ガラス収容溝２８は、図７の断面において、溝底部２８ａ、室外側溝側部２８ｂ、室内側溝側部２８ｃを有するコの字形状となっており、溝底部２８ａが、外框中空部２３ｂ及び突出片２５ｄにより、室外側溝側部２８ｂが外框延出部２３ｃにより、室内側溝側部２８ｃが第二内框中空部２５ｃにより、それぞれ形成されている。
【００５２】
また、当該ガラス収容溝２８には、ガラス収容溝２８のコの字形状に沿って、コの字形状でスチール薄板の補強材３０が収容されている。この補強材３０は、溝底部２８ａに沿った補強材底部３０ａと、室外側溝側部２８ｂに沿った室外側補強材側部３０ｂと、室内側溝側部２８ｃに沿った室内側補強材側部３０ｃと、を有している。
【００５３】
そして、上框発泡材７６は、突出片２３ｄの室内側の面と、補強材底部３０ａの室外側の端部と、室内側補強材側部３０ｃの上側の端部と、に取り付けられている（貼付されている）。
【００５４】
＝＝＝本実施の形態に係る横すべり出し窓１の有効性について＝＝＝
上述したとおり、本実施の形態に係る横すべり出し窓１は、窓枠１０と、該窓枠１０内に取り付けられた窓本体２０と、を有している。そして、窓本体２０は、金属製室外側框材である外框部２３と断熱材製室内側框材である内框部２５が連結部２７で連結された框体２２（下框３４、縦框３６）を備える断熱障子であり、窓枠１０（下枠１２、縦枠１３）には、該窓枠１０（下枠１２、縦枠１３）の室内側から、窓枠１０（下枠１２、縦枠１３）の連結部２７と対向する対向位置Ｐを越えて見込み方向室外側に延びる加熱発泡材７０（下枠発泡材７２、縦枠発泡材７４）が設けられていることとした。そのため、横すべり出し窓１の防火性能を向上させることが可能となる。
【００５５】
火災が発生した際に、火炎により断熱材製（本実施の形態においては、合成樹脂製）室内側框材である内框部２５が溶融する場合がある。つまり、内框部２５は、金属製室外側框材である外框部２３よりも燃えやすく、外框部２３よりも先に溶け落ちてしまう。そして、かかる際には、溶融した箇所が隙間となり、当該隙間から火炎が伝播したり、加熱空気が流入してしまったりする虞があった。
【００５６】
これに対し、本実施の形態においては、加熱発泡材７０（下枠発泡材７２、縦枠発泡材７４）を、窓枠１０（下枠１２、縦枠１３）の室内側から、窓枠１０（下枠１２、縦枠１３）の連結部２７と対向する対向位置Ｐを越えて見込み方向室外側に延びるようにしたため、仮に内框部２５が溶融してしまった場合であっても、加熱発泡材７０（つまり、延出部７２ａや延出部７４ａ）が発泡して外框部２３に向かって膨張し、外框部２３と窓枠１０（下枠１２、縦枠１３）との間を塞いでくれる。したがって、室内外間の火炎の伝播や加熱空気の流入を防止することが可能となる。このように、本実施の形態によれば、横すべり出し窓１の防火性能を向上させることが可能となる。
【００５７】
また、本実施の形態においては、上枠１１、下枠１２、及び、左右の縦枠１３のうち、窓本体２０が開いた際に框体２２と最も離れる窓枠１０には少なくとも加熱発泡材７０が取り付けられていることとした。すなわち、本実施の形態に係る開口部装置は、横すべり出し窓１であるため、窓本体２０が開いた際に框体２２と最も離れる窓枠１０、すなわち火災の際に最も熱変形しやすく隙間が生じやすい部分は、下枠１２である（なお、次に顕著に離れるのは縦枠１３で、最も離れないのは上枠１１である）。そして、少なくとも当該下枠１２に加熱発泡材７０が取り付けられていることとした。
【００５８】
窓本体２０が開いた際に框体２２と最も離れる窓枠１０（本実施の形態においては、下枠１２）は、窓本体２０を窓枠１０に固定する固定部（窓本体の窓枠への支持金具）から遠くなるため、火災の際には窓本体２０を閉じていても最も熱変形しやすく隙間が生じやすい部分となる。そして、本実施の形態においては、少なくともこのような部分に、窓枠１０の室内側から、窓枠１０の連結部２７と対向する対向位置Ｐを越えて見込み方向室外側に延びる加熱発泡材７０を取り付けてあるので、横すべり出し窓１の防火性能をより一層向上させることが可能となる。
【００５９】
＝＝＝その他の実施の形態＝＝＝
上記実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００６０】
上記実施の形態においては、開口部装置として横すべり出し窓１を例に挙げたが、これに限定されるものではない。例えば、縦すべり出し窓、開き窓、突き出し窓、内倒し窓、外倒し窓であってもよい。
【００６１】
また、上記実施の形態においては、金属製室外側框材として、アルミニウム製の外框部２３を例に挙げて説明したが、これに限定されるものではない。例えば、鉄製の外框部２３であってもよい。
【００６２】
また、上記実施の形態においては、断熱材製室内側框材として、合成樹脂製の内框部２５を例に挙げて説明したが、これに限定されるものではない。例えば、木製の内框部２５であってもよい。
【００６３】
また、上記実施の形態においては、上枠１１、下枠１２、及び、左右の縦枠１３のうち、下枠１２と左右の縦枠１３のみに加熱発泡材７０が取り付けられ、上枠１１には取り付けられていないこととしたが、これに限定されるものではない。例えば、上枠１１にも取り付けられていることとしてもよい。
【００６４】
ただし、窓本体２０が開いた際に框体２２と最も離れる窓枠１０と次に顕著に離れる窓枠１０のみに加熱発泡材７０を取り付けて、最も離れない窓枠１０には加熱発泡材７０の取り付けを省略することで、コストメリットを出しながら横すべり出し窓１の防火性能を向上させることが可能となる点で、上記実施の形態の方が望ましい。
【００６５】
また、上記実施の形態においては、窓枠１０は、金属製（上記実施の形態においては、アルミニウム製）窓枠材で形成された不燃性窓枠であり、当該不燃性窓枠に上述した加熱発泡材７０を取り付けることとした。しかしながら、これに限定されるものではなく、以下の例であってもよい。
【００６６】
すなわち、窓枠１０は、室外側の金属製（例えば、アルミニウム製）窓枠材と室内側の断熱性（例えば、合成樹脂製）窓枠材が連結された断熱枠であり、加熱発泡材７０は、金属製窓枠材と断熱性窓枠材に跨がって設けられていることしてもよい。
【００６７】
窓枠１０が前記不燃性窓枠である上記例においては、窓枠１０が単一の材料からなるため、窓枠１０の構成が単純となり、加熱発泡材７０の貼付も容易に行える利点が生ずる。一方、窓枠１０が断熱枠である上記例においては、火災の際に、加熱発泡材７０が、金属製窓枠材と金属製室外側框材との隙間を埋めるだけでなく、断熱性窓枠材を覆うことにより断熱性窓枠材の溶融を抑制することもできる利点が生ずる。
【符号の説明】
【００６８】
１  横すべり出し窓
１０  窓枠
１２  下枠、１２ａ  対向面
１３  縦枠、１３ａ  対向面
２０  窓本体
２２  框体
２３  外框部、２３ａ  対向部分
２５  内框部、２５ａ  対向部分
２７  連結部
３４  下框、３６  縦框
７０  加熱発泡材
７２  下枠発泡材、７２ａ  延出部
７４  縦枠発泡材、７４ａ  延出部
Ｐ  対向位置
【図１】
2016180269.tif 000003
【図２】
2016180269.tif 000004
【図３】
2016180269.tif 000005
【図４】
2016180269.tif 000006
【図５】
2016180269.tif 000007
【図６】
2016180269.tif 000008
【図７】
2016180269.tif 000009